(57)【要約】【課題】広告の閲覧にポイント制を用いて広告効果を増大させると共に、得られたサービスポイントを利用した商品取引の際に、より販促効果を見込め、なおかつサービスポイントの乱用を防いだサービスポイント制商品取引システム及び方法を提供する【解決手段】システムを利用する利用者の利用者端末と、出店者の出店者端末と、仲介者の仲介システムとが電子通信手段を介して接続された商品取引システムにおいて、出店登録手段が出店者の出店登録、出店される商品の登録をそれぞれ出店情報データベース、商品情報データベースに行い、さらに出店者端末の出店側入力手段によって入力された出店パターン選択に基づいて、出店パターン設定手段が出店登録に対して出店パターンを設定する【選択図】　図２
2004062310.tif 000002
【特許請求の範囲】
【請求項１】
システムを利用する利用者の利用者端末と、出店者の出店者端末と、仲介者の仲介システムとが電子通信手段を介して接続された商品取引システムにおいて、
前記利用者端末は、Ｗｅｂぺージを表示する利用者側表示手段と、前記Ｗｅｂページの表示に対する利用者の応答が入力される利用者側入力手段とをもち、
前記出店者端末は、Ｗｅｂページを表示する出店者側表示手段と、前記Ｗｅｂページの表示に対する出店者の応答が入力される出店者側入力手段とをもち、
前記仲介システムは、
前記出店者の出店登録が行われる出店登録手段と、前記出店登録が記憶される出店情報データベースと、出店される商品が記憶される商品情報データベースと、商品取引時に前記利用者が使用できるサービスポイント率のパターンを前記出店登録ごとに設定する出店パターン設定手段とをもつ構成であって、
前記出店登録手段が前記出店者の前記出店登録、出店される前記商品の登録をそれぞれ前記出店情報データベース、前記商品情報データベースに行い、さらに前記出店者端末の前記出店者側入力手段によって入力された出店パターン選択に基づいて、前記出店パターン設定手段が前記出店登録に対して前記出店パターンを設定することを特徴とするサービスポイント制商品取引システム。
【請求項２】
前記仲介システムがさらに、前記利用者の個人情報である利用者情報を登録する利用者登録手段と、前記利用者情報を記憶する利用者情報データベースとをもつ構成であって、
前記利用者端末の前記利用者側入力手段によって入力された前記利用者情報に基づいて、前記利用者登録手段が前記利用者情報データベースに前記利用者情報を記憶する請求項１に記載のサービスポイント制商品取引システム。
【請求項３】
前記仲介システムがさらに、Ｗｅｂページ広告である広告情報及びそれぞれの前記広告情報に割り当てられた、利用者が前記広告情報を閲覧する事で得られる獲得ポイント数を記憶している広告情報データベースと、前記広告情報を前記広告情報データベースから読出す広告情報読出し手段と、前記利用者が所定の方法により得られたサービスポイント数が記憶されている獲得ポイント情報データベースと、前記利用者の前記獲得ポイント数を読み出す獲得ポイント読出し手段と、前記獲得ポイント数を前記利用者の所有している前記獲得ポイントに加算する獲得ポイント加算手段と、前記獲得ポイントを前記獲得ポイント情報データベースに記憶する獲得ポイント記憶手段とをもつ構造であって、
前記利用者端末が前記仲介システムに接続した際、前記広告情報読出し手段が前記広告情報データベースより前記広告情報を読出し、複数の前記広告情報が前記利用者側端末の前記利用者側表示手段にＷｅｂページ上又はＷｅｂページとして表示され、前記利用者側入力手段による一の前記広告情報の選択入力により、前記広告情報の詳細が前記広告情報データベースより前記広告情報読出し手段により読出され前記利用者端末の前記利用者側表示手段に表示され、さらに前記広告情報に割り当てられた前記獲得ポイント数が、前記獲得ポイント読出し手段によって前記獲得ポイント情報データベースより読出された前記利用者の前記獲得ポイントに前記獲得ポイント加算手段により加算され、前記獲得ポイント記憶手段が前記獲得ポイント情報データベースに加算された前記獲得ポイントを記憶する請求項１または２に記載のサービスポイント制商品取引システム。
【請求項４】
前記仲介システムがさらに、獲得ポイントをサービスポイントに変換するポイント変換手段をもつ構成であって、
前記獲得ポイントを、所定の変換率を用いて商品購入に使用できるサービスポイントへと変換を行う請求項３に記載のサービスポイント制商品取引システム。
【請求項５】
前記仲介システムがさらに、複数の前記変換率を記憶した変換率情報データベースをもつ構成であって、
獲得ポイント以外のポイントであり、所定の方法で得られた外部ポイントが使用される場合に、前記変換率情報データベースより外部ポイントのサービスポイントへの変換に合致する変換率を読出し、前記ポイント変換手段が前記合致する変換率を用いて、商品購入に使用できるサービスポイントへと変換を行う請求項４に記載のサービスポイント制商品取引システム。
【請求項６】
前記獲得ポイントが、そのまま前記サービスポイントとして使用することが可能な請求項３に記載のサービスポイント制商品取引システム。
【請求項７】
前記仲介システムがさらに、出店された前記商品の価格を前記サービスポイント数を加味して新たに算出する価格計算手段をもつ構成であって、前記利用者の前記商品取引時に、前記出店登録に設定された前記出店パターンに基づいて、前記価格計算手段が前記商品の出店価格に対する前記利用者の支払価格を前記利用者の所有しているサービスポイント数を加味して計算する請求項１乃至６のいずれかに記載のサービスポイント制商品取引システム。
【請求項８】
前記利用者端末の前記利用者側入力手段より前記商品取引決定の入力がなされた際、前記価格計算手段により前記加味されたサービスポイントを前記利用者の前記所有しているサービスポイントから差し引く請求項７に記載のポイント制商品取引システム。
【請求項９】
前記価格計算手段により加味された前記支払価格に、所定の率を乗算した結果を前記獲得ポイントとして、前記獲得ポイント加算手段が、前記利用者の前記獲得ポイントに加算する請求項８に記載のサービスポイント制商品取引システム。
【請求項１０】
利用者の利用者端末と、出店者の出店者端末と、仲介者の仲介システムとが電子通信手段を介して接続されて行われる商品取引方法において、前記利用者端末は、Ｗｅｂぺージを表示する利用者側表示手段と、前記Ｗｅｂページの表示に対する利用者の応答が入力される利用者側入力手段とをもち、
前記出店者端末は、Ｗｅｂページを表示する出店者側表示手段と、前記Ｗｅｂページの表示に対する出店者の応答が入力される出店者側入力手段とをもち、
前記仲介システムは、複数のＷｅｂページによる広告である広告情報及び各広告情報に対して設定された、利用者が前記広告情報を閲覧する事で得られる獲得ポイント数が記憶された広告情報データベースと、前記広告情報を掲載したＷｅｂページを作成するＷｅｂページ作成手段と、
前記出店者の出店登録が行われる出店登録手段と、前記出店登録が記憶される出店登録情報データベースと、前記利用者が所定の方法により得られる獲得ポイント数が記憶されている獲得ポイント情報データベースと、出店される商品が記憶される商品情報データベースと、商品取引時に前記利用者が使用できるサービスポイント率のパターンを前記出店登録ごとに設定する出店パターン設定手段とをもつ構成であって、
前記出店者の出店登録が行われるステップと、出店される商品の記憶がなされるステップと、前記出店者端末の前記出店者側入力手段より出店パターンの選択がなされるステップとからなることを特徴とするサービスポイント制商品取引方法。
【請求項１１】
前記利用者端末の前記利用者側表示手段に前記広告情報が表示されるステップと、前記利用者端末の前記利用者側入力手段より前記広告情報の選択が入力されるステップと、選択された前記広告情報に設定された獲得ポイント数を前記利用者のサービスポイントに加算するステップとからなる請求項１０に記載のサービスポイント制商品取引方法。
【請求項１２】
さらに、前記仲介システムがポイント変換手段をもつ構成であって、
前記獲得ポイントを、所定の変換率を用いて商品購入に使用できるサービスポイントへと変換を行うステップをもつ請求項１１に記載のサービスポイント制商品取引方法。
【請求項１３】
さらに、前記仲介システムがポイント変換情報データベースをもつ構成であって、
獲得ポイント以外のポイントであり、所定の方法で得られた外部ポイントが使用される場合に、前記変換率情報データベースより外部ポイントのサービスポイントへの変換に合致する変換率を読出すステップと、前記ポイント変換手段が前記合致する変換率を用いて、商品購入に使用できるサービスポイントへと変換を行うステップをもつ請求項１１に記載のポイント制商品取引方法。
【請求項１４】
前記獲得ポイントが、そのまま前記サービスポイントと変換される請求項１１に記載のポイント制商品取引方法。
【請求項１５】
さらに、前記利用者端末の前記利用者側入力手段より前記商品の選択が入力されるステップと、前記価格計算手段が前記出店パターンを用いて、前記価格計算手段が前記商品の出店価格に対する前記利用者の支払価格を前記利用者の所有しているサービスポイント数を加味して計算するステップとからなる請求項１２乃至１４のいずれかに記載のサービスポイント制商品取引方法。
【発明の詳細な説明】
【０００１】
【発明の属する技術分野】
本発明は、電子通信手段（インターネット）を介して行われる商品取引システムに関し、Ｗｅｂページ広告をユーザーが閲覧することによりユーザーがサービスポイントを獲得することができ、このサービスポイントを活用した商品取引ができるサービスポイント制商品取引システムに関する。
【０００２】
【従来の技術】
従来、電子通信手段を介して行われる商品取引の手段としては、オークション、フリーマーケット等が企業間、企業個人間、個人間での商品取引手段として知られている。これら商品取引手段にサービスポイントを使用する場合には、商品取引をした際やＷｅｂサイトにユーザー登録、オークションの出店登録した際等に特典として付加される場合が多い。このサービスポイントはその後の商品取引や、特典、プレゼント等、様々な形でＷｅｂサイトのサービスに応じて使用することが可能となっており、電子通信手段のみならず実際の商品取引でも使用されている。サービスポイント制を用いる事により販売促進が図られており、このようなシステムが例えば、特願２０００−２０５４２７号（販売促進システム）に記載されている。このシステムは、商品等を提供する企業と商品等の取引を行う消費者との間に介在し、サービスポイントの付与およびそれに伴なう商品等の提供を行うことによって、企業における販売業務等の円滑化および促進等を実現することを目的としている。
【０００３】
また、広告情報をサービスポイント付加の要素として使用されるシステムは例えば、特願２０００−２４７４２８号（インターネット広告の閲覧促進システム）に記載されており、閲覧者が少ない広告ページや方法ページであっても、ユーザーが競って閲覧したくなる環境システムを創世し、その広告効果の著しい増大を容易に実現することを目的としている。
【０００４】
【発明が解決しようとする課題】
しかしながら上記、前者のシステムでは、ポイント付与が商品取引後、仲介手段から与えられるものであり商品取引が前提となる。その他、ポイントの取引、ゲームを介しての運用、あるいはみずからの有するポイントを他者に送ることによる運用が記載されているが、基本的に、消費者が企業から何らかの商品等を取引した際に初めてポイントが付与されることとなるため、新たな商品等を取引する必要が生ずる。商品取引をしなくてもポイントを増やすことはできるが、ポイントを取引、ゲームを介して得る、他者からの譲渡に頼る必要があり、ポイントを得るためにはおおかた金銭的投資をしなければならない。
【０００５】
一方、上記、後者のシステムでは、広告を閲覧することによりポイントをユーザに対して付与することにより広告効果、広報効果の著しい増大を実現している。このポイントを用いて所定の契約先や課税元などに支払うべき電気料金、水道料金などの公共料金、国税、地方税などの税金、自動車に関して車検費用、保険料、ガソリン代、オイル代、タイや代、通行料などの費用、電話の基本使用料などの電話料金、各種保険料などの各種料金や費用を、各ユーザーから預かっている閲覧ポイントを金額に換算し、各ユーザーに変わって所定の契約先や課税元などに納付又は支払うようにしている。このポイントも前述のシステムのポイントと同様に金銭に類する価値を有するものであるが、このポイントは、広告を閲覧することにより無限に得られるポイントであるため、より効果的な制限を付さなければ無償のポイントを無尽蔵に使用できることになり、ポイントを獲得するためのみに閲覧するなどその弊害は無視できなくなってしまう。かといってポイントの使用に大きな制限をつけてしまうと、そのポイントの存在価値が半減してしまう。
【０００６】
また、ポイント使用に制限を設け、電子通信手段を用いて商品の購買が行われる場合、出店者はＷｅｂサイトに出店登録をなし、出店を行うのであるが、ポイントは無尽蔵に得られ、規定制限下同条件で出店が行われると、ユーザーはポイントを規定いっぱいまで使用するため、ポイントによる割引が行われる場合にはポイント制度を使用する意味が希薄になってしまう。
【０００７】
本発明は上述のような問題点に鑑みてなされたものであり、本発明の目的は、広告の閲覧にポイント制を用いて広告効果、広報効果を増大させると共に、得られたサービスポイントを利用した商品取引の際に、より販促効果を見込め、なおかつサービスポイントの乱用を防いだサービスポイント制商品取引システム及び方法を提供することを目的とする。
【０００８】
なお、本発明において、「サービスポイント」とは、Ｗｅｂ管理者によって予め各広告に設定されているものであり、本システムに接続するユーザーが、広告であるＷｅｂサイトをユーザー側の端末を用いて表示して閲覧した際に、各ユーザーに対して付与されるもので累積加算され、このサービスポイントを用いてサービスを受けることにより、減算されるものである。
【０００９】
【課題を解決するための手段】
本発明は、サービスポイントを活用した商品取引ができるサービスポイント制商品取引システムに関し、本発明の上記目的は、システムを利用する利用者の利用者端末と、出店者の出店者端末と、仲介者の仲介システムとが電子通信手段を介して接続された商品取引システムにおいて、前記利用者端末は、Ｗｅｂぺージを表示する利用者側表示手段と、前記Ｗｅｂページの表示に対する利用者の応答が入力される利用者側入力手段とをもち、前記出店者端末は、Ｗｅｂページを表示する出店者側表示手段と、前記Ｗｅｂページの表示に対する出店者の応答が入力される出店者側入力手段とをもち、前記仲介システムは、前記出店者の出店登録が行われる出店登録手段と、前記出店登録が記憶される出店情報データベースと、出店される商品が記憶される商品情報データベースと、商品取引時に前記利用者が使用できるサービスポイント率のパターンを前記出店登録ごとに設定する出店パターン設定手段とをもつ構成であって、前記出店登録手段が前記出店者の前記出店登録、出店される前記商品の登録をそれぞれ前記出店情報データベース、前記商品情報データベースに行い、さらに前記出店者端末の前記出店者側入力手段によって入力された出店パターン選択に基づいて、前記出店パターン設定手段が前記出店登録に対して前記出店パターンを設定することによって達成される。
【００１０】
また、本発明の上記目的は、前記仲介システムがさらに、前記利用者の個人情報である利用者情報を登録する利用者登録手段と、前記利用者情報を記憶する利用者情報データベースとをもつ構成であって、前記利用者端末の前記利用者側入力手段によって入力された前記利用者情報に基づいて、前記利用者登録手段が前記利用者情報データベースに前記利用者情報を記憶することにより、或は前記仲介システムがさらに、Ｗｅｂページ広告である広告情報及びそれぞれの前記広告情報に割り当てられた、利用者が前記広告情報を閲覧する事で得られる獲得ポイント数を記憶している広告情報データベースと、前記広告情報を前記広告情報データベースから読出す広告情報読出し手段と、前記利用者が所定の方法により得られたサービスポイント数が記憶されている獲得ポイント情報データベースと、前記利用者の前記獲得ポイント数を読み出す獲得ポイント読出し手段と、前記獲得ポイント数を前記利用者の所有している前記獲得ポイントに加算する獲得ポイント加算手段と、前記獲得ポイントを前記獲得ポイント情報データベースに記憶する獲得ポイント記憶手段とをもつ構造であって、前記利用者端末が前記仲介システムに接続した際、前記広告情報読出し手段が前記広告情報データベースより前記広告情報を読出し、複数の前記広告情報が前記利用者側端末の前記利用者側表示手段にＷｅｂページ上又はＷｅｂページとして表示され、前記利用者側入力手段による一の前記広告情報の選択入力により、前記広告情報の詳細が前記広告情報データベースより前記広告情報読出し手段により読出され前記利用者端末の前記利用者側表示手段に表示され、さらに前記広告情報に割り当てられた前記獲得ポイント数が、前記獲得ポイント読出し手段によって前記獲得ポイント情報データベースより読出された前記利用者の前記獲得ポイントに前記獲得ポイント加算手段により加算され、前記獲得ポイント記憶手段が前記獲得ポイント情報データベースに加算された前記獲得ポイントを記憶することにより、或は前記仲介システムがさらに、獲得ポイントをサービスポイントに変換するポイント変換手段をもつ構成であって、前記獲得ポイントを、所定の変換率を用いて商品購入に使用できるサービスポイントへと変換を行うことにより、或は前記仲介システムがさらに、複数の前記変換率を記憶した変換率情報データベースをもつ構成であって、獲得ポイント以外のポイントであり、所定の方法で得られた外部ポイントが使用される場合に、前記変換率情報データベースより外部ポイントのサービスポイントへの変換に合致する変換率を読出し、前記ポイント変換手段が前記合致する変換率を用いて、商品購入に使用できるサービスポイントへと変換を行うことにより、或は前記獲得ポイントが、そのまま前記サービスポイントとして使用することが可能であることによって、或は前記仲介システムがさらに、出店された前記商品の価格を前記サービスポイント数を加味して新たに算出する価格計算手段をもつ構成であって、前記利用者の前記商品取引時に、前記出店登録に設定された前記出店パターンに基づいて、前記価格計算手段が前記商品の出店価格に対する前記利用者の支払価格を前記利用者の所有しているサービスポイント数を加味して計算することによって、或は前記利用者端末の前記利用者側入力手段より前記商品取引決定の入力がなされた際、前記価格計算手段により前記加味されたサービスポイントを前記利用者の前記所有しているサービスポイントから差し引くことによって、或は前記価格計算手段により加味された前記支払価格に、所定の率を乗算した結果を前記獲得ポイントとして、前記獲得ポイント加算手段が、前記利用者の前記獲得ポイントに加算することによって、より効果的に達成される。
【００１１】
本発明の方法に関する上記目的は、利用者の利用者端末と、出店者の出店者端末と、仲介者の仲介システムとが電子通信手段を介して接続されて行われる商品取引方法において、前記利用者端末は、Ｗｅｂぺージを表示する利用者側表示手段と、前記Ｗｅｂページの表示に対する利用者の応答が入力される利用者側入力手段とをもち、前記出店者端末は、Ｗｅｂページを表示する出店者側表示手段と、前記Ｗｅｂページの表示に対する出店者の応答が入力される出店者側入力手段とをもち、前記仲介システムは、複数のＷｅｂページによる広告である広告情報及び各広告情報に対して設定された、利用者が前記広告情報を閲覧する事で得られる獲得ポイント数が記憶された広告情報データベースと、前記広告情報を掲載したＷｅｂページを作成するＷｅｂページ作成手段と、前記出店者の出店登録が行われる出店登録手段と、前記出店登録が記憶される出店登録情報データベースと、前記利用者が所定の方法により得られる獲得ポイント数が記憶されている獲得ポイント情報データベースと、出店される商品が記憶される商品情報データベースと、商品取引時に前記利用者が使用できるサービスポイント率のパターンを前記出店登録ごとに設定する出店パターン設定手段とをもつ構成であって、前記出店者の出店登録が行われるステップと、出店される商品の記憶がなされるステップと、前記出店者端末の前記出店者側入力手段より出店パターンの選択がなされるステップとからなることによって達成される。
【００１２】
また、本発明の上記目的は、前記利用者端末の前記利用者側表示手段に前記広告情報が表示されるステップと、前記利用者端末の前記利用者側入力手段より前記広告情報の選択が入力されるステップと、選択された前記広告情報に設定された獲得ポイント数を前記利用者のサービスポイントに加算するステップとからなることにより、或はさらに、前記仲介システムがポイント変換手段をもつ構成であって、前記獲得ポイントを、所定の変換率を用いて商品購入に使用できるサービスポイントへと変換を行うステップをもつことにより、或はさらに、前記仲介システムがポイント変換情報データベースをもつ構成であって、獲得ポイント以外のポイントであり、所定の方法で得られた外部ポイントが使用される場合に、前記変換率情報データベースより外部ポイントのサービスポイントへの変換に合致する変換率を読出すステップと、前記ポイント変換手段が前記合致する変換率を用いて、商品購入に使用できるサービスポイントへと変換を行うステップをもつことにより、或は前記獲得ポイントが、そのまま前記サービスポイントと変換されることにより、或はさらに、前記利用者端末の前記利用者側入力手段より前記商品の選択が入力されるステップと、前記価格計算手段が前記出店パターンを用いて、前記価格計算手段が前記商品の出店価格に対する前記利用者の支払価格を前記利用者の所有しているサービスポイント数を加味して計算するステップとからなることによって、より効果的に達成される。
【００１３】
【発明の実施の形態】
本発明は、電子通信手段を介して同一Ｗｅｂページ上に公開された広告情報を選択、利用者端末の利用者側表示手段においてこの広告情報の詳細を表示、利用者が閲覧することにより、各広告情報にそれぞれ別途記憶されている閲覧ポイントであるサービスポイントが閲覧した利用者に対して付与され、仲介システム内に累積して保存されている。
【００１４】
出店者は、出店者端末を用いて出店情報を出店側入力手段から入力し、仲介システムの出店登録手段を用いて出店登録を行い、出店Ｗｅｂページ上に出店を行う。出店に対する料金体系パターン（以下出店パターンとする）はいくつかのパターンをもち、このパターンによって利用者が一の商品購入に対して最大限に使えるサービスポイント率は異なり、利用者はこの率を複数の購入要素のうちの一つとして購入店を選択することができるシステムに関するものである。
【００１５】
以下、図面を用いて本発明であるサービスポイント制商品購入システムについて説明する。
【００１６】
図１は、本発明に係るサービスポイント制商品取引システムのシステム構成図である。
【００１７】
本システムの構成は、本システムを利用する利用者側にあり、利用者が広告情報等を閲覧する利用者側表示手段５と、利用者の選択が入力される利用者側入力手段４とをもつ利用者端末２と、出店する出店者側にあり、出店者側表示手段７と、出店者側入力手段６とをもつ出店者端末３とが電子通信手段を介して本システムを統括する仲介システム１に接続される構成をもつ。
【００１８】
利用者は仲介システム１よりもたらされるＷｅｂページを利用者端末２の利用者側表示手段５を用いて表示し、商品購入や広告情報の閲覧等を利用者側入力手段４を用いて行う。
【００１９】
出店者は仲介システム１よりもたらされるＷｅｂページを出店者端末３の出店者側表示手段７を用いて表示し、出店登録や商品登録等を出店者側入力手段６を用いて行う。
【００２０】
仲介システム１は、Ｗｅｂページを利用者及び出店者に対して電子通信手段を介して送信し、また、電子通信手段を用いて受信した利用者及び出店者の入力についての処理を行う。
【００２１】
図２は上述した利用者端末２及び出店者端末３の構成図である。
【００２２】
図３は仲介システム１のシステム構成図である。
【００２３】
仲介システム１は、本システムに利用者を登録する利用者登録手段８と、利用者の登録情報を記憶する利用者情報記憶手段９と、利用者の登録情報が記憶されている利用者情報データベース１６と、利用者の獲得ポイントが記憶される獲得ポイント情報データベース１７と、Ｗｅｂページによる広告情報が記憶されている広告情報データベース１８と、出店者の出店登録を行う出店登録手段１０と、出店登録を記憶する出店登録情報データベース１９と、出店パターンの決定が行われる出店パターン設定手段１１と、出店者が定めた商品の出店価格から、使用者のもつサービスポイント数が加味された現金価格分を計算する価格計算手段１２と、獲得ポイントをサービスポイントへと、またサービスポイントを獲得ポイントへと変換するポイント変換手段１３と、ポイントの変換率が記憶されているポイント変換率データベース２１と、出店する商品の情報が記憶されている商品情報データベース２０と、獲得ポイントを獲得ポイント情報データベース１７から読出す獲得ポイント読出手段１４と、獲得ポイントを獲得ポイント情報データベース１７へと記憶する獲得ポイント記憶手段１５とからなる構成をもつ。
【００２４】
まず、利用者が本システムを利用しようとする場合、仲介システム１へと利用者登録を行う必要がある。
【００２５】
利用希望者は、利用者のもつ利用者端末２の利用者側表示手段５に、仲介システム１からもたらされる入会登録のＷｅｂページを表示し、利用者端末２のもつ利用者側入力手段４を用いて利用希望者の個人情報である、住所、氏名、年齢、電話番号等の登録情報を入力し、仲介システム１に対して送信を行う。利用希望者の個人情報を受信した仲介システム１は、利用者登録手段８がこの個人情報に瑕疵が無いかを判断し、瑕疵が無い場合には利用者情報データベース１６へと利用者情報の登録を行い、利用者であると認識がなされた時点で本システムの利用が可能となる。
【００２６】
利用者登録が終了した後、利用者は利用者端末２を用いて広告情報の閲覧を行う。これにより、利用者は広告情報を得ると共に、各広告情報に仲介システム１側から割り当てられた獲得ポイントと呼ばれるポイントを得る。この獲得ポイントは、主に広告情報を閲覧することにより貯めることができ、また、商品の購入、広告主への資料請求等によっても得ることができる。また、この獲得ポイントを利用したサービスを受けることにより使用したサービス分の獲得ポイントが、累積分から減点される。利用者が得た獲得ポイントは、仲介システム１内の獲得ポイント情報データベース１７内に利用者の登録情報に関連づけて記憶され、使用される。
【００２７】
利用者が閲覧する広告情報は、仲介システム１の広告情報データベース１８内に記憶されており、まず仲介システム１からは広告情報の一覧である広告一覧がＷｅｂページとして利用者端末２へと送信される。利用者端末２の利用者側表示手段５でこの広告一覧を表示、利用者は閲覧を希望する広告を選択し、選択された広告情報はさらに、仲介システム１内の広告情報データベース１８よりその詳細が読出され、利用者端末２へと電子通信手段を介してＷｅｂページとして送信され、利用者端末２の利用者側表示手段５において表示、閲覧することが可能となる。なお、広告一覧を表示する際に、各広告情報を閲覧することにより選られる獲得ポイント数もともにＷｅｂページ上に記載されており、利用者はそれを参考にして閲覧する広告情報を選択することも可能である。この際、利用者が広告主へ資料請求等を行うことにより、広告情報閲覧とは別に、利用者はさらなる獲得ポイントを獲得することも可能となっている。
【００２８】
利用者が選択した広告情報を利用者側表示手段５を用いて閲覧することにより、広告一覧に共に記載されている獲得ポイント数を、利用者は獲得ポイントとして獲得できる。これは仲介システム１内にあるポイント計算手段によって制御がなされ、利用者の閲覧前に所持している獲得ポイント数である獲得ポイント情報が記憶されている獲得ポイント情報記憶手段とのやりとりにより制御される。まず、獲得ポイント計算手段は広告情報を見た利用者の獲得ポイント情報を獲得ポイント情報データベース１７より読出し、閲覧した広告情報に設定されている獲得ポイント数をその利用者の現時点で所有している獲得ポイント数に加算する。その後、広告情報を見る度にこの作業を繰返すことにより、利用者の獲得ポイントは累積加算されていく。さらには、商品購入時、資料請求時にもこれと同様の加算を行う。
【００２９】
以上のように、利用者は広告閲覧、商品購入、資料請求等を行うことにより、利用者の獲得ポイントは累積加算され、別途Ｗｅｂページ上で行われる商品取引にこの獲得ポイントが使用できる。ただし、獲得ポイントは商品購入時にはサービスポイントへと所定の変換率により変換がなされ、これについては後述する。利用者の獲得ポイントは、獲得ポイント使用時、獲得ポイント獲得時等に適宜、獲得ポイント読出手段１４、獲得ポイント記憶手段１５により制御される。
【００３０】
本システムを用いて出店者が商品の販売を行う場合には、出店者は仲介システム１に対して出店登録を行う必要がある。
【００３１】
出店を希望する出店者は、出店者端末３を用いて出店者側表示手段７に仲介システム１から電子通信手段を介して送られてくる出店者登録用のＷｅｂページを表示し、そのＷｅｂぺージに従って、出店者端末３の出店者側入力手段６によって出店情報を入力し、仲介サーバへと出店情報を送信する。この出店情報を受信した仲介システム１では、出店登録手段１０においてその出店情報に瑕疵が無いかを判断し、瑕疵が無い場合には出店情報データベースへと出店情報の登録を行う。また、出店登録時には出店者による出店パターンの設定も行われる。
【００３２】
出店パターンは、仲介システム１内の出店パターン設定手段１１に選択肢として数種類用意されており、出店者が自由に選択できるものとする。この出店パターンは、利用者の商品購入時におけるサービスポイントの利用限度について、及び仲介システム１を管理するシステム管理者へ出店時に出店者が支払う出店費用についてのパターンであり、この二つは密接な関係をもつ。
【００３３】
これは、出店者が出店時の出店費用を多く出すパターンを選べば選ぶほど、利用者が商品取引時に使用できるサービスポイントの限度を増やす。利用者のサービスポイントは、獲得ポイントを変換したものであるから、利用者が広告情報を閲覧することや、広告主に対しての資料請求、商品購入時の付加サービス等で得られるものであり、実質無制限かつ無償で得ることができ、商品取引にあっては、利用者が所有しているサービスポイントを使用することは、サービスポイントによる割引が行われると考えることができる。これにより出店者が同様の商品を出店した場合でも、出店パターンによって異なった割引率で出店されることになり、差別化が図られる。
【００３４】
出店パターン設定手段１１では、出店者の出店パターンを設定するために、電子通信手段を介して出店者端末３に対して出店パターンの選択肢の送信を行うと共に、出店者端末３で選択された出店パターンに基づいて出店情報データベース内に、出店情報と共に関連づけて記憶を行う。さらには、出店される商品についても出店者は仲介システム１に登録し、仲介システム１では商品登録手段を介して商品情報データベース２０に対してこの出店に対する商品登録が行われる。
【００３５】
全ての登録が行われた後出店となり、出店一覧が記載されたＷｅｂページへと出店が表示される。
【００３６】
以下、利用者が出店から商品を購入する際を説明する。
【００３７】
利用者は利用者端末２の利用者側表示手段５において、仲介システム１から電子通信手段を介して得られる、出店一覧のＷｅｂページを参照することにより、全ての出店者による出店を見ることができる。出店一覧には前述した出店パターンについての記載もあり、利用者が所有しているサービスポイントがどの程度使用できるのかについてが把握できるようになっている。
【００３８】
このサービスポイントは、利用者の所有する獲得ポイントが変換されて表示されるものである。獲得ポイント情報データベース１７に記憶されている利用者の獲得ポイントが獲得ポイント情報読出し手段を用いて読み出され、ポイント変換手段１３へと送られる。ポイント変換手段１３では、ポイント変換率データベース２１に記憶されている獲得ポイントのサービスポイントへの変換率を参照し、サービスポイントへの変換を行う。例としては、獲得ポイントの変換率が０．３サービスポイントだとすると、獲得ポイントを１０，０００ポイントをもつ利用者のサービスポイントは３，０００サービスポイントに変換表示され、その後、表示価格の２０％までサービスポイントが使用可能等の記載が各出店毎に参照することができるようになっている。
【００３９】
さらには、獲得ポイントは他の外部のポイントでもサービスポイントへの変換が出来るようになっている。外部のポイントとは、他の会社やサイト等から得られたポイントをポイント変換率データベース２１に記憶されているポイント変換率に基づいてサービスポイントにポイント変換手段１３が変換し、本システムの出店に使用できるというものである。
【００４０】
ポイント変換率データベース２１を使うために、ポイント変換率データベース２１に変換率の記憶されている外部ポイントしか使用はできないが、本システムの広告閲覧で得られる獲得ポイントのみに、変換が縛られるものではない。
【００４１】
また、ポイント変換率データベース２１や、ポイント変換手段１３が無い場合には、獲得ポイントはサービスポイントとして、そのままの獲得ポイント数でサービスポイントとして使用できる。
【００４２】
図４は出店パターンの一例である。
【００４３】
図５は商品購入時のサービスポイント計算に関する一例である。
【００４４】
また、利用者が取引希望の商品について検索機能を利用して商品を検索することや、出店者別、サービスポイント使用限度別等での検索も可能である。利用者が販売している商品を検索する場合は、商品情報データベース２０を用いて、利用者が希望する商品を販売している出店を検索し、出店情報データベースより読出した該当する出店を一覧としてＷｅｂページで利用者端末２の利用者側表示手段５に表示する。この際にも各出店に対し出店パターンが共に表示され、同一商品であっても、より割引率の高い、すなわちサービスポイント使用限度の高い出店を利用者の好みに合わせて選択することができる。
【００４５】
取引希望出店及び取引希望商品を発見した利用者は、利用者端末２の利用者側入力手段４を用いて、該当する出店一覧より任意の出店を選択することにより、出店をＷｅｂページとして閲覧する。利用者は出店を閲覧し、購入希望商品を見つけた際に、購入決定の意思を利用者端末２の利用者側入力手段４より入力をすることで、仲介システム１は購入工程の処理を行う。
【００４６】
利用者による商品選択の意思を利用者端末２の利用者側入力手段４より入力後、仲介システム１の価格計算手段１２は、出店データベースに記憶されている購入決定がされた出店の出店パターンと、商品データベースに記憶されている購入決定がされた商品の情報と、獲得ポイント情報記憶手段に記憶されている購入決定をした利用者の獲得ポイントとを加味して、実際に現金として利用者が支払う金額と、サービスポイントを用いて支払いのできる金額分との詳細を計算し、利用者端末２の利用者側表示手段５に表示を行う。表示される要素としては、出店者による利用者の購入希望商品の定価、該出店のサービスポイント使用限度、利用者の購入希望商品の現金分の支払価格、利用者の購入希望商品のサービスポイント使用可能分、現金分の支払価格に対する獲得ポイント付加分等がある。
【００４７】
なお、現金分の支払価格に対するポイント付加については、出店者が決められるものとすると、より出店毎の差別化が図られる。すなわち、出店者が設定する現金分に対する獲得ポイント還元率を高くすれば高くするほど利用者の購入意欲を触発することができ、利用者による利用が見込める。もちろん、この獲得ポイント還元に対し、出店者は仲介システム１の管理者への還元分の獲得ポイントの料金を支払う責を追う必要がある。
【００４８】
このポイント還元率についての表示は、出店一覧のＷｅｂページを利用者が利用者端末２の利用者側表示手段５を用いて閲覧する際に、出店一覧とともに記載されていると、利用者にとっての出店選択の判断材料になり、より本システムが効果的に運用できる。
【００４９】
利用者は、上記の要素を確認することで、実際に支払う価格等を確認した後に取引決定をすることができる。
【００５０】
この結果を踏まえ、利用者が利用者端末２より商品取引決定の意思を利用者端末２の利用者側入力手段４を用いて入力を行うことにより仲介システム１での取引処理が行われる。
【００５１】
利用者の取引決定入力がされた後、仲介システム１より出店者端末３に対して商品取引がなされたことが通知される。仲介システム１は取引決定がなされた商品について、獲得ポイント情報データベース１７、商品情報データベース２０及び出店情報データベースに記憶されている利用者の所有している獲得ポイント、該商品の価格等の情報及び出店パターンが考慮され、獲得ポイントはサービスポイントへと変換がなされ、さらには出店パターンに基き、最終的な購入処理がなされる。価格計算手段１２によって算出されたサービスポイント使用限度分は、利用者が所有しているサービスポイントから減算され、減算された残りのサービスポイント数が利用者の所有しているサービスポイント数となる。購入を終了する場合には、獲得ポイントへと変換され、獲得ポイント情報データベース１７に記憶される。価格計算手段１２により算出された商品購入に利用可能なサービスポイント数が、利用者の所有しているサービスポイント数よりも多い場合には、利用者の所有しているサービスポイントをすべて利用し、残った分を現金価格として算出する。
【００５２】
サービスポイントの利用ポイント数は、利用者の入力によって定められる形でも構わない。
【００５３】
なお、利用者により使用されたサービスポイント分と出店価格との差額の金額については、仲介システム１の管理者が負担し、利用者の商品購入は終了する。
【００５４】
図６は利用者が本システムを利用する際のフローチャートである。
【００５５】
利用者は、本システムの利用をするために利用者の登録を行う（ステップＳ１０１）。利用者の登録は、仲介システム１の利用者登録手段８を用いて行われ、利用者の氏名、住所、電話番号等の利用者の個人情報を仲介システム１に登録することにより利用者登録が行われる。瑕疵無く登録が行われた後、利用者は広告情報の閲覧をして獲得ポイントを貯めることができるようになる。
【００５６】
利用者登録が終了した後、利用者による広告情報の閲覧が可能となる（ステップＳ１０２）。広告の閲覧は、予め広告情報データベース１８にＷｅｂページとして記憶された広告情報を、利用者端末２の利用者側表示手段５に表示することにより行われる。利用者が閲覧する広告情報は、そのすべての広告情報がまず一覧として利用者端末２の利用者側表示手段５において表示され、その一覧の中から利用者が閲覧を希望する広告情報を選択することにより、その詳細であるＷｅｂページが表示される。
【００５７】
利用者は、広告情報を閲覧すると同時にその閲覧した広告情報に予め定められた獲得ポイントを得ることができる（ステップＳ１０３）。
【００５８】
利用者が選られた獲得ポイントは、仲介システム１内の獲得ポイント情報データベース１７内に記憶される。獲得ポイント情報データベース１７の獲得ポイントは、利用者情報データベース１６の利用者情報と関連づけられて記憶されている。
【００５９】
この利用者が広告情報を閲覧して得られた獲得ポイントは、獲得ポイント情報データベース１７より読出され、読出された獲得ポイント情報に得られた獲得ポイントを加算し、加算された結果を獲得ポイント情報データベース１７に記憶することで行われる。
【００６０】
さらなる広告情報を閲覧する場合（ステップＳ１０４　ＹＥＳ）には、広告閲覧ステップ（ステップＳ１０２）へと戻り、その他の場合（ステップＳ１０４　ＮＯ）にはステップＳ１０５へと進む。
【００６１】
広告閲覧を終了し、出店より商品購入を行わない場合（ステップＳ１０５　ＮＯ）の場合には終了し、出店より商品購入を行う場合には（ステップＳ１０５　ＹＥＳ）出店一覧を閲覧する（ステップＳ１０６）。
【００６２】
この時、利用者の所有している獲得ポイントは、ポイント変換手段１３を用いてサービスポイントへの変換がなされる（ステップＳ１０７）。外部ポイントがある場合（ステップＳ１０８　ＹＥＳ）には外部ポイントのサービスポイントへの変換も同時に行われる（ステップＳ１０９）。
【００６３】
出店一覧は、仲介システム１内の出店情報データベースより利用者端末２の利用者側表示手段５に表示することにより閲覧が可能となる。
【００６４】
出店一覧より、利用者が希望する商品、出店パターン等、種々の条件に基づいて利用者は商品購入を行う出店を選択する（ステップＳ１１０）。利用者は、希望する条件に合わせて出店の絞り込みを行うことができ、利用者の希望に沿った出店を任意に選択することが可能となっている。すなわち、出店商品、出店パターン、商品の質、現金購入分のサービスポイント付加率等、より様々な利用者の希望に応じた出店において、利用者は商品を購入することが可能となっている。
【００６５】
購入する商品が、利用者により選択されると商品購入となる（ステップＳ１１１）。商品の購入は、利用者のサービスポイント、出店パターン、購入する商品価格が関わる。まず、仲介システム１内の価格計算手段１２において、商品の価格と出店パターンに基づいて、商品の出店価格をサービスポイントで代替できる価格分と、現金での支払い価格分とを計算する。この結果は、利用者端末２の利用者側表示手段５において表示され、利用者は確認することができる。価格計算手段１２が、利用者のもつサービスポイント数と代替できる価格分のサービスポイントとを比較し、利用者のもつサービスポイントが代替できる価格分のサービスポイントを上回っている場合は、代替できる価格分のサービスポイントが表示され、そうでない場合は、利用者のもつ全てのサービスポイント数が利用可能サービスポイント数として表示される。
【００６６】
利用者はその表示を確認し、サービスポイントの使用ポイント数の入力と共に商品購入の決定が行われる。商品購入決定と共に、サービスポイントの加減算が行われる（ステップＳ１１２）。表示された代替する価格分のサービスポイントが利用者のもつサービスポイントより差し引かれ、獲得ポイントへの変換がなされ、さらには現金支払価格分の価格に出店者が定めた還元獲得ポイント率の乗算結果が加算され、仲介システム１内の獲得ポイント情報データベース１７に記憶される。また、出店者に商品が購入されたことが通知され、出店商品より購入された商品が削除されることにより、仲介システム１内での処理は終了する。
【００６７】
【発明の効果】
以上のように、本発明によれば、広告の閲覧にポイント制を導入することにより広告効果、広報効果を増大することができ、さらには広告の閲覧によって得られる獲得ポイントを、利用者が希望商品取引の際に使用することができることにより、より獲得ポイントの付加価値を増大することができる。
【００６８】
また、獲得ポイントは、基本的に無料かつ無制限に得られるものであるから、獲得ポイントの使用を効果的に制限、出店者による出店パターンの選択ができることによって、出店毎に獲得ポイントによる差別化を図ることができる。
【００６９】
獲得ポイントだけでばく、外部ポイントもサービスポイントへと変換できることにより、より様々なポイントが使用できるようになっている。ポイント変換率は一定ではなく、ポイント変換情報データベースにおいて変換することが可能であるから、出店全体でのバーゲン等をＷｅｂ上で実施することが可能である。
【００７０】
これらにより、利用者が広告を閲覧する機会が増えると共に利用者の商品購買意欲をも喚起させ、出店での取引成立確率が増大する。
【００７１】
出店者にとっては、販売する商品が多い場合や、商品が高価な場合等、その販売する商品の質や量に合わせて出店パターンを選択することができるため、より出店がしやすく、利益も見込める出店ができる。
【図面の簡単な説明】
【図１】サービスポイント制商品取引システムのシステム構成図である。
【図２】利用者端末及び出店者端末の構成図である。
【図３】仲介システムのシステム構成図である。
【図４】出店パターンの一例である。
【図５】商品購入時のサービスポイント計算に関する一例である。
【図６】利用者が本システムを利用する際のフローチャートである。
【符号の説明】
１　　　　　仲介システム
２　　　　　利用者端末
３　　　　　出店者端末
４　　　　　利用者側入力手段
５　　　　　利用者側表示手段
６　　　　　出店者側入力手段
７　　　　　出店者側表示手段
８　　　　　利用者登録手段
９　　　　　利用者情報記憶手段
１０　　　　　出店登録手段
１１　　　　　出店パターン設定手段
１２　　　　　価格計算手段
１３　　　　　ポイント変換手段
１４　　　　　獲得ポイント読出手段
１５　　　　　獲得ポイント記憶手段
１６　　　　　利用者情報データベース
１７　　　　　獲得ポイント情報データベース
１８　　　　　広告情報データベース
１９　　　　　出店登録情報データベース
２０　　　　　商品情報データベース
２１　　　　　ポイント変換率データベース
【図１】
2004062310.tif 000003
【図２】
2004062310.tif 000004
【図３】
2004062310.tif 000005
【図４】
2004062310.tif 000006
【図５】
2004062310.tif 000007
【図６】
2004062310.tif 000008